(57)【特許請求の範囲】
【請求項１】
天面板、底面板、前面板、後面板を有し、前記天面板にはそれぞれに指を入れて持つための左右方向に２つの吊手孔が設けられ、複数の容器が一単位として集積包装されたマルチパック用包装箱に、添付物を一体となって取り付けるための取り付け構造であって、前記マルチパック用包装箱の天面板の上に重なる上面板を有し、前記上面板には前記吊手孔に対向する位置に貫通孔が設けられ、前記貫通孔には前記上面板の中央側に接続した陥入フラップが設けられ、前記マルチパック用包装箱の前面板あるいは前記後面板に接するように、部材が設けられていることを特徴とする取り付け構造。
【請求項２】
前記陥入フラップの前後方向の長さが前記吊手孔の前後方向の長さより長いことを特徴とする請求項１に記載の取り付け構造。
【請求項３】
前記陥入フラップの先端部の位置が、前記吊手孔の中にあることを特徴とする請求項１または２に記載の取り付け構造。
【請求項４】
前記陥入フラップには、前記上面板との接続部分の両端部より狭まるように傾斜する２本の折罫が設けられていることを特徴とする請求項１から３の何れか１項に記載の取り付け構造。
【請求項５】
請求項１から４のいずれか１項に記載の取り付け構造で取り付けられることを特徴とする包装箱。
【請求項６】
請求項１から４のいずれか１項に記載の取り付け構造で取り付けられることを特徴とする表示板。
【発明の詳細な説明】
【技術分野】
【０００１】
本発明は、取り付け構造と包装箱および表示板に関するものである。より詳しくは、マルチパック用包装箱に、添付物を一体となって取り付けるための取り付け構造と、これにより取り付けられている包装箱および表示板に関する。
【背景技術】
【０００２】
缶入りのビールやコーヒーなどを半ダース等の複数個を一単位として集積包装されたマルチパック包装体がスーパーマーケットあるいは量販店などで販売されている。このようなマルチパックには、天面板、底面板、前面板、背面板からなり、天面板にそれぞれに指を入れて持つための左右方向に２つの吊手孔が設けられているものが多くある。
【０００３】
また、このようなマルチパック包装体に、景品など添付品を添付したり、宣伝、広告等の情報表示を添付したりすることが行われている。
【０００４】
このような添付のための取付け部材を提供するものとして、プレミアム取付け部材がマルチパック包装体の天板面内側と容器上部の間に挿入され、マルチパック包装体の容器群が露出した部分の上下部四隅に設けられている係止面部で係止されるマルチパック用プレミアム取付板が開示されている（特許文献１）。
【０００５】
また、マルチパック包装体の側面板部と略同等の大きさに宣伝、広告等の情報掲示あるいはプレミアムを添付する販売促進係止板が側面板部の短辺方向の両端部四隅あるいはブランク板内面と容器との間でマルチパック販売促進係止板が係止されているマルチパック用販売促進表示板も開示されている（特許文献２）。
【０００６】
公知文献を以下に示す。
【先行技術文献】
【特許文献】
【０００７】
【特許文献１】特開２００３−３４１７１８号公報
【特許文献２】特開２００３−３４１７１９号公報
【発明の概要】
【発明が解決しようとする課題】
【０００８】
特許文献１および２に記載された取り付け方では、上からの力により外れる可能性があり、重量のあるものを取り付けることは困難であった。
【０００９】
本発明は上記のような事情に鑑みてなされたもので、マルチパック用包装箱に、添付物を一体となって取り付け、容易に外れてしまうことのない取り付け構造と、これにより取り付けられている包装箱および表示板を提供することを課題とする。
【課題を解決するための手段】
【００１０】
本発明は係る課題に鑑みなされたものであり、請求項１の発明は、天面板、底面板、前面板、後面板を有し、前記天面板にはそれぞれに指を入れて持つための左右方向に２つの吊手孔が設けられ、複数の容器が一単位として集積包装されたマルチパック用包装箱に、添付物を一体となって取り付けるための取り付け構造であって、前記マルチパック用包装箱の天面板の上に重なる上面板を有し、前記上面板には前記吊手孔に対向する位置に貫通孔が設けられ、前記貫通孔には前記上面板の中央側に接続した陥入フラップが設けられ、前記マルチパック用包装箱の前面板あるいは前記後面板に接するように、部材が設けられていることを特徴とする取り付け構造である。
【００１１】
本発明の取り付け構造は、以上のような構成であって、前面板あるいは後面板に接するように、部材が設けられているので、吊手孔に入れた陥入フラップと相まって、取り付けた添付物が安定して固定される。
本発明の請求項２の発明は、前記陥入フラップの前後方向の長さが前記吊手孔の前後方向の長さより長いことを特徴とする請求項１に記載の取り付け構造である。
本発明は、陥入フラップを吊手孔に入れると、陥入フラップの前後方向の長さが吊手孔の前後方向の長さより長いので、嵌合し容易に外れてしまうことがない。
【００１２】
本発明の請求項３の発明は、前記陥入フラップの先端部の位置が、前記吊手孔の中にあることを特徴とする請求項１または２に記載の取り付け構造である。
【００１３】
本発明は、陥入フラップの先端部の位置が、吊手孔の中にあるので、陥入フラップを吊手孔の中に入れやすい。
【００１４】
本発明の請求項４の発明は、前記陥入フラップには、前記上面板との接続部分の両端部より狭まるように傾斜する２本の折罫が設けられていることを特徴とする請求項１から３の何れか１項に記載の取り付け構造である。
【００１５】
本発明は、陥入フラップに、上面板との接続部分の両端部より狭まるように傾斜する２本の折罫が設けられているので、吊手孔に、陥入フラップを入れるときに、折罫で陥入フラップが折れるので、幅が狭くなり入れやすい。また、入れた後は、折れていたのが開いて、外れてしまうことはない。
【００１８】
本発明の請求項５の発明は、請求項１から４のいずれか１項に記載の取り付け構造で取り付けられることを特徴とする包装箱である。
【００１９】
本発明では、包装箱が請求項１から４のいずれか１項に記載の取り付け構造で取り付けられているので容易に外れてしまうことがない。
【００２０】
本発明の請求項６の発明は、請求項１から４のいずれか１項に記載の取り付け構造で取り付けられることを特徴とする表示板である。
【００２１】
本発明では、表示板が請求項１から４のいずれか１項に記載の取り付け構造で取り付けられているので容易に外れてしまうことがない。
【発明の効果】
【００２２】
本発明の取り付け構造は、マルチパック用包装箱に、添付物を一体となって取り付けることができ、容易に外れてしまうことがない。また、これにより取り付けられている包装箱および表示板は容易に外れてしまうことがない。
【図面の簡単な説明】
【００２３】
【図１】本発明の取り付け構造の一例を取り付けるマルチパック包装体を模式的に斜視で示した説明図である。
【図２】本発明の取り付け構造の一例を模式的に平面で示した説明図である。
【図３】本発明の取り付け構造の一例をマルチパック包装体に取り付ける途中段階を模式的に平面で示した説明図である。
【図４】本発明の取り付け構造の一例をマルチパック包装体に取り付けた状態を模式的に平面で示した説明図である。
【図５】本発明の第１の実施形態の包装箱を模式的に示した説明図である。（Ａ）平面図、（Ｂ）側面図である。
【図６】本発明の第１の実施形態の包装箱のブランクを模式的に示した説明図である。
【図７】本発明の第１の実施形態の包装箱を組み立てる状態を模式的に示した説明図である。
【図８】本発明の第１の実施形態の包装箱を組み立てる次の状態を模式的に示した説明図である。
【図９】本発明の第２の実施形態の表示板を模式的に示した説明図である。（Ａ）平面図、（Ｂ）正面図、（Ｃ）側面図である。
【図１０】本発明の第２の実施形態の表示板のブランクを模式的に示した説明図である。
【図１１】本発明の第２の実施形態の表示板をマルチパック包装体に取り付けた状態を模式的に斜視で示した説明図である。
【図１２】本発明の第３の実施形態の表示板を模式的に示した説明図である。（Ａ）平面図、（Ｂ）正面図、（Ｃ）側面図である。
【図１３】本発明の第３の実施形態の表示板のブランクを模式的に示した説明図である。
【図１４】本発明の第３の実施形態の表示板をマルチパック包装体に取り付けた状態を模式的に斜視で示した説明図である。
【図１５】本発明の第４の実施形態の表示板を模式的に示した説明図である。（Ａ）平面図、（Ｂ）正面図、（Ｃ）側面図である。
【図１６】本発明の第４の実施形態の表示板のブランクを模式的に示した説明図である。
【図１７】本発明の第４の実施形態の表示板をマルチパック包装体に取り付けた状態を模式的に斜視で示した説明図である。
【図１８】本発明の第５の実施形態の卓上カレンダーを模式的に示した説明図である。（Ａ）平面図、（Ｂ）正面図、（Ｃ）側面図である。
【図１９】本発明の第５の実施形態の卓上カレンダーのブランクを模式的に示した説明図である。
【図２０】本発明の第５の実施形態の卓上カレンダーを組み立てる状態の裏面を模式的に示した説明図である。
【図２１】図２０の表面側である。
【図２２】本発明の第５の実施形態の卓上カレンダーの使用状態の一例を模式的に示した説明図である。
【発明を実施するための形態】
【００２４】
以下、本発明を実施するための形態につき説明する。
図１は、本発明の取り付け構造の一例を取り付けるマルチパック包装体を模式的に斜視で示した説明図、図２は、本発明の取り付け構造の一例を模式的に平面で示した説明図、図３は、本発明の取り付け構造の一例をマルチパック包装体に取り付ける途中段階を模式的に平面で示した説明図、図４は、本発明の取り付け構造の一例をマルチパック包装体に取り付けた状態を模式的に平面で示した説明図である。
【００２５】
本例の取り付け構造を取り付けるマルチパック包装箱１００は、図１のように、天面板１、底面板２、前面板３、後面板４を有し、天面板１にはそれぞれに指を入れて持つための左右方向に２つの吊手孔５が設けられ、複数の缶などの容器６が一単位として集積包装されてマルチパック包装体１０１を形成している。
【００２６】
そして、本例の取り付け構造２００は、図２に示すように上面板２０１を有し、上面板
２０１は図では省略された他の部分の添付物と一体となって連続して形成されている。上面板２０１には吊手孔５に対向する位置に貫通孔２０２が設けられ、貫通孔２０２は切れ込みと折罫で形成され、上面板２０１の中央側に折罫が位置して接続している、これにより貫通孔２０２と同形の陥入フラップ２０３が設けられている。更に、陥入フラップ２０３には、上面板２０１との接続部分の両端部より狭まるように傾斜する２本の折罫２０４が設けられている。
【００２７】
図３は、点線で示すマルチパック包装箱１００の天面板１の上に、取り付け構造２００の上面板２０１を重ねた状態を上から見た図で、陥入フラップ２０３の前後方向の長さが吊手孔５の前後方向の長さより長くなっている。また、陥入フラップ２０３の先端部の位置は、吊手孔５の中にある。このため容易に押し込むことができる。
【００２８】
陥入フラップ２０３には折罫２０４がもうけられているので、陥入フラップ２０３を吊手孔５に押し込むとき、折罫２０４で折り曲げられ、陥入フラップ２０３の前後方向の長さが吊手孔５の前後方向の長さより長くても容易に押し込むことができる。
【００２９】
図４のように、陥入フラップ２０３を吊手孔５に押し込むと（押し込まれた陥入フラップ２０３を破線で示す）、陥入フラップ２０３の前後方向の長さが吊手孔５の前後方向の長さより長くなっているので、一度陥入フラップ２０３を吊手孔５に押し込むと、容易に外れることがない。更に、陥入フラップ２０３を吊手孔５から引き出そうとしても、押し込むときに折られた折罫２０４が平らになり、引き出しにくくなる。
【００３０】
このように、本例の取り付け構造２００は、マルチパック用包装箱１００に、添付物を一体となって取り付けることができ、容易に外れてしまうことがない。
【００３１】
＜第１の実施形態＞
以下、本発明を実施するための第１の実施形態につき説明する。
図５は、本発明の第１の実施形態の包装箱を模式的に示した説明図で、（Ａ）平面図、（Ｂ）側面図、図６は、本発明の第１の実施形態の包装箱のブランクを模式的に示した説明図、図７は、本発明の第１の実施形態の包装箱を組み立てる状態を模式的に示した説明図、図８は、本発明の第１の実施形態の包装箱を組み立てる次の状態を模式的に示した説明図である。
【００３２】
第１の実施形態の包装箱３００は、図５のように、取り付け構造２００と物品収納部３０１とからなっていて、取り付け構造２００は、マルチパック包装箱１００の天面板１の上に重なり、物品収納部３０１は、前面板３あるいは後面板４に接するように設けられている。
【００３３】
取り付け構造２００は、前述の通り、上面板２０１を有し、上面板２０１には吊手孔５に対向する位置に貫通孔２０２が設けられ、貫通孔２０２は切れ込みと折罫で形成され、貫通孔２０２と同形の陥入フラップ２０３が連設されている。更に、陥入フラップ２０３には、上面板２０１との接続部分（折罫の位置）の両端部より狭まるように傾斜する２本の折罫２０４が設けられている。
【００３４】
この包装箱３００のブランク３０２は、図６に示すように、左右中央の上から、上面板２０１、正面板３０３、下面板３０４、背面板３０５、貼着板３０６が設けられている。包装箱３００の上面は、上面板２０１に一体化されている。
【００３５】
また、正面板３０３の左右には、それぞれ側面板３０７と差込片３０８が設けられている。また、上面板２０１の物品収納部３０１にあたる部分と下面板３０４には、左右に折
込片３０９が設けられている。
【００３６】
これを組み立てるには、図７のように、下面板３０４と背面板３０５の間の折罫を折って、貼着板３０６に接着剤を塗布して、上面板２０１と正面板３０３の間の折罫を折って、図８のように畳む。貼着板３０６は上面板２０１の物品収納部３０１にあたる部分に貼着される。
【００３７】
この畳まれた包装箱３００を起こして、上面板２０１の物品収納部３０１にあたる部分、正面板３０３、下面板３０４、背面板３０５で断面長方形になるようにし、折込片３０９を内方に倒して、側面板３０７を内方に倒し、差込片３０８を背面板３０５の内面側に差し込む、これにより、図５のような、包装箱３００が組み立てられる。
【００３８】
この組み立てられた包装箱３００をマルチパック包装箱１００の天面板１の上に上面板２０１を重ね、前面板３または後面板４に背面板３０５を接するようにすると、マルチパック包装箱１００の吊手孔５に貫通孔２０２が対向するので、陥入フラップ２０３を指などで上から吊手孔５に押し込んで、マルチパック用包装箱１００に、包装箱３００を取り付ける。
【００３９】
＜第２の実施形態＞
以下、本発明を実施するための第２の実施形態につき説明する。
図９は、本発明の第２の実施形態の表示板を模式的に示した説明図で、（Ａ）平面図、（Ｂ）正面図、（Ｃ）側面図、図１０は、本発明の第２の実施形態の表示板のブランクを模式的に示した説明図、図１１は、本発明の第２の実施形態の表示板をマルチパック包装体に取り付けた状態を模式的に斜視で示した説明図である。
【００４０】
第２の実施形態の表示板４００は、図９（Ａ）平面図、（Ｂ）正面図、（Ｃ）側面図に示すように、取り付け構造２００と表示部４０１とからなっている。取り付け構造２００は、マルチパック包装箱１００の天面板１の上に重なり、表示部４０１は、前面板３に接するように設けられ、中央上部は円弧状になっていて、取り付け構造２００より上に立ち上がっていて、目を引きやすく目立つようになっている。この円弧状の部分の分だけ取り付け構造２００の上面板２０１が窪んでいる。
【００４１】
取り付け構造２００は、前述の通り、上面板２０１を有し、上面板２０１には吊手孔５に対向する位置に貫通孔２０２が設けられ、貫通孔２０２は切れ込みで形成され、貫通孔２０２と同形の陥入フラップ２０３が設けられている。更に、陥入フラップ２０３には、上面板２０１との接続部分の両端部より狭まるように傾斜する２本の折罫２０４が設けられている。
【００４２】
この表示板４００のブランク４０２は、図１０に示すように、取り付け構造２００の上面板２０１と表示部４０１とが、左右両端より中央に伸びる折罫４０３で接続している。また、２つの折罫４０３の中央側の端部より円弧状の切込み４０４が、上面板２０１側に凸となって設けられている。
【００４３】
このブランク４０２を図９のように折罫４０３で折って、図１１のように、マルチパック包装体１０１に取り付ける。すなわち、マルチパック包装箱１００の天面板１の上に重なるように、取り付け構造２００の上面板２０１を載せて、表示部４０１を前面板３の外側に接するようする。このようにすると、吊手孔５に貫通孔２０２が重なるので、陥入フラップ２０３を吊手孔５に押し込む。
【００４４】
このようにすると、マルチパック用包装箱１００に表示板４００を取り付けることがで
き、前述のように、容易に外れてしまうことがない。表示部４０１は、取り付け構造２００より上に立ち上がっていて、目立ちアイキャッチ効果が高い。
【００４５】
＜第３の実施形態＞
以下、本発明を実施するための第３の実施形態につき説明する。
図１２は、本発明の第３の実施形態の表示板を模式的に示した説明図で、（Ａ）平面図、（Ｂ）正面図、（Ｃ）側面図、図１３は、本発明の第３の実施形態の表示板のブランクを模式的に示した説明図、図１４は、本発明の第３の実施形態の表示板をマルチパック包装体に取り付けた状態を模式的に斜視で示した説明図である。
【００４６】
第３の実施形態の表示板５００は、図１２（Ａ）平面図、（Ｂ）正面図、（Ｃ）側面図に示すように、取り付け構造２００と表示部５０１とからなっている。取り付け構造２００は、マルチパック包装箱１００の天面板１の上に重なり、表示部５０１は、前面板３に接するように設けられ、右上隅部に右辺と上辺の延長線の交点を中心とする円形の部分が延設され、右と上にはみ出している。取り付け構造２００の上面板２０１が、この円形の部分を形成したため窪んでいる。
【００４７】
取り付け構造２００は、前述の通り、上面板２０１を有し、上面板２０１には吊手孔５に対向する位置に貫通孔２０２が設けられ、貫通孔２０２は切れ込みで形成され、貫通孔２０２と同形の陥入フラップ２０３が連設されている。更に、陥入フラップ２０３には、上面板２０１との接続部分の両端部より狭まるように傾斜する２本の折罫２０４が設けられている。
【００４８】
この表示板５００のブランク５０２は、図１３に示すように、取り付け構造２００の上面板２０１と表示部５０１とが、左端より円形の部分まで伸びる折罫５０３で接続している。また、この円形の部分を形成するので、円弧状の切込み５０４が設けられ、上面板２０１がこの分窪んでいる。
【００４９】
このブランク５０２を図１２のように折罫５０３で折って、図１４のように、マルチパック包装体１０１に取り付ける。すなわち、マルチパック包装箱１００の天面板１の上に重なるように、取り付け構造２００の上面板２０１を載せて、表示部５０１を前面板３の外側に接するようする。このようにすると、吊手孔５に貫通孔２０２が重なるので、陥入フラップ２０３を吊手孔５に押し込む。
【００５０】
このようにすると、マルチパック用包装箱１００に表示板５００を取り付けることができ、前述のように、容易に外れてしまうことがない。表示部５０１は、取り付け構造２００より上に立ち上がっていて、更に右側にも飛び出ているので、目立ちアイキャッチ効果が高い。
【００５１】
＜第４の実施形態＞
以下、本発明を実施するための第４の実施形態につき説明する。
図１５は、本発明の第４の実施形態の表示板を模式的に示した説明図で、（Ａ）平面図、（Ｂ）正面図、（Ｃ）側面図、図１６は、本発明の第４の実施形態の表示板のブランクを模式的に示した説明図、図１７は、本発明の第４の実施形態の表示板をマルチパック包装体に取り付けた状態を模式的に斜視で示した説明図である。
【００５２】
第４の実施形態の表示板６００は、図１５（Ａ）平面図、（Ｂ）正面図、（Ｃ）側面図に示すように、取り付け構造２００と表側表示部６０１ａと裏側表示部６０１ｂと起立固定部６０２からなっている。裏側表示部６０１ｂの下端は、突起部６０１ｃが設けてある。
【００５３】
起立固定部６０２には、図１６のブランク６０３に示すように、固定孔６０４が設けられていて、固定孔６０４を通して、貫通孔２０２に設けた陥入フラップ２０３を吊手孔５に押し込み、取り付け構造２００の上面板２０１をマルチパック包装箱１００の天面板１に固定すると共に、起立固定部６０２を挟んで固定し、表側表示部６０１ａと裏側表示部６０１ｂを図１５（Ｃ）のように起立させる。
【００５４】
取り付け構造２００は、前述の通り、上面板２０１を有し、上面板２０１には吊手孔５に対向する位置に貫通孔２０２が設けられ、貫通孔２０２は切れ込みで形成され、貫通孔２０２と同形の陥入フラップ２０３が連設されている。更に、陥入フラップ２０３には、上面板２０１との接続部分の両端部より狭まるように傾斜する２本の折罫２０４が設けられている。
【００５５】
この表示板６００のブランク６０３は、図１６に示すように、取り付け構造２００の上面板２０１と表側表示部６０１ａと裏側表示部６０１ｂと起立固定部６０２が折罫６０５、６０６、６０７を介し、連設されている。また、裏側表示部６０１ｂの下端は、起立固定部６０２に凸の突起部６０１ｃが切れ目により設けてある。
【００５６】
このブランク６０３を図１５のように折罫で折って、マルチパック包装体１０１に取り付ける。すなわち、折罫６０６を山折りし、折罫６０７と折罫６０５を谷折りし、固定孔６０４の位置に貫通孔２０２が来るようにして、陥入フラップ２０３を差し込む。そして、陥入フラップ２０３が下方に突き出しているので、マルチパック包装箱１００の天面板１の吊手孔５に押し込み、図１７のように、取り付ける。このとき、突起部６０１ｃを後面板４の外側に接するようにして取り付ける。
【００５７】
このようにすると、マルチパック用包装箱１００に表示板６００を取り付けることができ、前述のように、容易に外れてしまうことがない。表側表示部６０１ａは取り付け構造２００より上に立ち上がっていて、目立ちアイキャッチ効果が高い。また、裏側も裏側表示部６０１ｂが、取り付け構造２００より上に立ち上がっていて、目立ちアイキャッチ効果がある。
【００５８】
＜第５の実施形態＞
以下、本発明を実施するための第５の実施形態につき説明する。
図１８は、本発明の第５の実施形態の卓上カレンダーを模式的に示した説明図で、（Ａ）平面図、（Ｂ）正面図、（Ｃ）側面図、図１９は、本発明の第５の実施形態の卓上カレンダーのブランクを模式的に示した説明図、図２０は、本発明の第５の実施形態の卓上カレンダーを組み立てる状態の裏面を模式的に示した説明図、図２１は、図２０の表面側である。図２２は、本発明の第５の実施形態の卓上カレンダーの使用状態の一例を模式的に示した説明図である。
【００５９】
第５の実施形態は、卓上カレンダー７００である。卓上カレンダー７００は、図１８（Ａ）平面図、（Ｂ）正面図、（Ｃ）側面図に示すように、取り付け構造２００の上面板２０１と枚葉カレンダー収納部７０１とからなっている。
【００６０】
枚葉カレンダー収納部７０１の正面板７０２は、図１８（Ｂ）正面図のように、額縁状に窓部を設けるための線状の切れ目とその間の繋ぎ部からなる窓用切れ目７０３が設けられている。
【００６１】
また、窓用切れ目７０３の上方には、上面板２０１を卓上カレンダー７００から切離すための破線状の切れ目からなる切り取り線７０４が左右方向に設けられている。尚、図示
しないが、枚葉カレンダー収納部７０１には、１ヶ月分や２か月分などのカレンダーが印刷された複数の枚葉のカレンダーが収納されている。
【００６２】
卓上カレンダー７００は、図１９に示すブランク７０５から組み立てられる。上から取り付け構造２００の上面板２０１が設けられ、折罫７０６を介して正面板７０２が設けられ、更に折罫７０７を介して背面板７０８が設けられている。
【００６３】
正面板７０２の左右には、それぞれ、折罫７０９、７１０を介して、左押さえ板７１１と右押さえ板７１２が設けられている。左押さえ板７１１と右押さえ板７１２は、収納した枚葉のカレンダーが左右から落ちないようにしていると共に、卓上カレンダーとして使用する時には切り取り線７０４で切離された枚葉カレンダー収納部７０１を立てた状態に支えるための支持体となる。
【００６４】
正面板７０２には前述したように、窓用切れ目７０３と切り取り線７０４が設けられている。背面板７０８には、卓上カレンダーを吊るして使用する場合に用いる、中央に貫通孔の設けられた吊り下げ具７１３が切れ目と折罫で形成されている。
【００６５】
左押さえ板７１１の先端には係止用突起７１４が設けられ、右押さえ板７１２には係止用突起７１４をスライド可能に係止する切れ目７１５が設けられている。切れ目７１５は上下の直線状部が先端側で折れ曲がり互いにつながっていて、内側が舌片状のタブを形成している。また、根元部分は外側にカールして裂けるのを防止している。
【００６６】
取り付け構造２００は、前述の通り、上面板２０１を有し、上面板２０１には吊手孔５に対向する位置に貫通孔２０２が設けられ、貫通孔２０２は切れ込みで形成され、貫通孔２０２と同形の陥入フラップ２０３が連設されている。更に、陥入フラップ２０３には、上面板２０１との接続部分の両端部より狭まるように傾斜する２本の折罫２０４が設けられている。
【００６７】
卓上カレンダー７００を組み立てるには、このブランク７０５の折罫７０７で折って背面板７０８を裏側に倒し、その上に折罫７０９で折って、左押さえ板７１１を背面板７０８の上に重ね、更に折罫７１０で折って右押さえ板７１２を重ね、左押さえ板７１１の係止用突起７１４を右押さえ板７１２の切れ目７１５に下から嵌め込み、切れ目７１５の範囲で係止用突起７１４がスライド可能に係止する。
【００６８】
このようにすると、図２０の裏側から見た図のようになる。これを表側から見た図が図２１である。そして、折罫７０６で折って上面板２０１を倒すと、図１８のように、卓上カレンダー７００が組み立てられる。
【００６９】
このように、組み立てられた卓上カレンダー７００を、枚葉カレンダー収納部７０１がマルチパック包装箱１００の前面板３に接するようにして、取り付け構造２００の上面板２０１をマルチパック包装箱１００の天面板１に重ねる。
【００７０】
すると、マルチパック包装箱１００の吊手孔５に貫通孔２０２が対向するので、陥入フラップ２０３を指などで上から吊手孔５に押し込んで、マルチパック用包装箱１００に、卓上カレンダー７００を取り付ける。
【００７１】
消費者がマルチパック包装体１０１を購入して、卓上カレンダーを使用するには、切り取り線７０４で切断して、取り付け構造２００の上面板２０１を切離して使用することができる。
【００７２】
この場合、吊り下げ具７１３を折罫で折って折り返して、吊り下げ具７１３の中央に設けられた貫通孔を利用して吊るして使用することもできるが、机などに置いて使用する場合は、左押さえ板７１１と右押さえ板７１２を背面板７０８から離すように広げる。
【００７３】
左押さえ板７１１の係止用突起７１４は、右押さえ板７１２の切れ目７１５にスライド可能に係止されているので、切れ目７１５の先端側で係止用突起７１４が止まり、これ以上、左押さえ板７１１と右押さえ板７１２が開かなくなる。
【００７４】
またこの状態で、切れ目７１５で形成された舌片状のタブの先端が左押さえ板７１１に当たり、左押さえ板７１１と右押さえ板７１２が閉じないように働き、開いた状態を保持する。
【００７５】
これにより、図２２のように、左押さえ板７１１と右押さえ板７１２が開いた状態になるので、机などに置いても、正面板７０２と背面板７０８の下端部と、左押さえ板７１１の下端部と、右押さえ板７１２の下端部とが三角形になり、安定して置いておくことができる。
【符号の説明】
【００７６】
１００・・・マルチパック包装箱
１０１・・・マルチパック包装体
１・・・天面板
２・・・底面板
３・・・前面板
４・・・後面板
５・・・吊手孔
６・・・容器
２００・・・取り付け構造
２０１・・・上面板
２０２・・・貫通孔
２０３・・・陥入フラップ
２０４・・・折罫
３００・・・包装箱
３０１・・・物品収納部
３０２・・・ブランク
３０３・・・正面板
３０４・・・下面板
３０５・・・背面板
３０６・・・貼着板
３０７・・・側面板
３０８・・・差込片
３０９・・・折込片
４００・・・表示板
４０１・・・表示部
４０２・・・ブランク
４０３・・・折罫
４０４・・・切込み
５００・・・表示板
５０１・・・表示部
５０２・・・ブランク
５０３・・・折罫
５０４・・・切込み
６００・・・表示板
６０１ａ・・・表側表示部
６０１ｂ・・・裏側表示部
６０１ｃ・・・突起部
６０２・・・起立固定部
６０３・・・ブランク
６０４・・・固定孔
７００・・・卓上カレンダー
７０１・・・枚葉カレンダー収納部
７０２・・・正面板
７０３・・・窓用切れ目
７０４・・・切り取り線
７０５・・・ブランク
７０６、７０７、７０９、７１０・・・折罫
７０８・・・背面板
７１１・・・左押さえ板
７１２・・・右押さえ板
７１３・・・吊り下げ具
７１４・・・係止用突起
７１５・・・切れ目
【図１】
0006344180.tif 000002
【図２】
0006344180.tif 000003
【図３】
0006344180.tif 000004
【図４】
0006344180.tif 000005
【図５】
0006344180.tif 000006
【図６】
0006344180.tif 000007
【図７】
0006344180.tif 000008
【図８】
0006344180.tif 000009
【図９】
0006344180.tif 000010
【図１０】
0006344180.tif 000011
【図１１】
0006344180.tif 000012
【図１２】
0006344180.tif 000013
【図１３】
0006344180.tif 000014
【図１４】
0006344180.tif 000015
【図１５】
0006344180.tif 000016
【図１６】
0006344180.tif 000017
【図１７】
0006344180.tif 000018
【図１８】
0006344180.tif 000019
【図１９】
0006344180.tif 000020
【図２０】
0006344180.tif 000021
【図２１】
0006344180.tif 000022
【図２２】
0006344180.tif 000023